(57)【要約】【課題】仕切板によって仕切られた左右に並列する通路のうち、その並列する通路の幅方向に隣接する３個の球がブリッジ現象を生じさせようとする５ヶ所の接触状態を無くして、球詰りを完全に回避することができる信頼性の高い通路を確保する。【解決手段】上流に貯留された球を、仕切板で１列毎に区分された複数の通路に、１個ずつ整列させて下流に流下させる球整列通路構造であって、前記通路をほぼ球１個分の通路幅で形成し、前記仕切板の上流側を通路底面から漸次なめらかに立ち上がるのぼり坂に形成し、前記仕切板の両側の通路のうち一方の通路には、前記のぼり坂の側方位置に前記通路の通路幅より幅広の拡幅通路を構成する。【選択図】図９
2008061798.tif 000002
【特許請求の範囲】
【請求項１】
上流に貯留された球を、仕切板で１列毎に区分された複数の通路に、１個ずつ整列させて下流に流下させる球整列通路構造であって、
前記通路をほぼ球１個分の通路幅に形成し、
前記仕切板の上流側を通路底面から漸次なめらかに立ち上がるのぼり坂に形成し、
前記仕切板の両側の通路のうち一方の通路には、前記のぼり坂の側方位置に前記通路の通路幅より幅広の拡幅通路を形成してなることを特徴とする
球整列通路構造。
【請求項２】
多数個の球を積層状態に貯留する貯留空間と、
前記貯留空間から下流の通路へと至る間を下流に向けて次第に幅狭にした絞り部と、
前記貯留空間に貯留されている球を、前記絞り部を介して流下させる凹溝状の通路と、
前記通路の上流から下流に向けて底面より漸次滑らかに立ち上げて該通路の凹溝内をほぼ球１個分の通路幅で並列する２列の通路に仕切る仕切板と、
前記仕切板の上流側を通路底面から漸次なめらかに立ち上がるのぼり坂に形成し、
前記仕切板の両側の通路のうち一方の通路には、前記のぼり坂の側方位置に前記通路の通路幅より幅広にした拡幅通路と、
を備えた貯留タンク。
【請求項３】
前記仕切板の上面には、その上面のぼり坂の稜線方向に渡って、前記拡幅通路側に向けて傾斜する球振分け傾斜面を設けた
請求項２に記載の貯留タンク。
【請求項４】
請求項２または３に記載の貯留タンクを備えたパチンコ球払出機。
【発明の詳細な説明】
【技術分野】
【０００１】
この発明は、例えばパチンコ遊技機の入賞球の払出しや貸球装置の貸球の払出しに備えて貯留する貯留タンクから球を流下させながら整列させる整列通路に内部構成されるような球整列通路構造に関し、さらに詳しくは山積みされた多数個の球を円滑に流下させる球整列通路構造、貯留タンク及びパチンコ球払出機に関する。
【背景技術】
【０００２】
一般にパチンコ遊技機は、パチンコ球(以下、球と称す)を遊技媒体として、パチンコ台の背面側からパチンコ台の前面側に球を供給している。この球の供給に際しては、パチンコ遊技機の背面上部に多数個の球を貯留する貯留タンクを設置し、この貯留タンクへは上方の図示しない補給機構から球を補給させて貯留し、これより貯留した球を下方に払出すようにしている。この球の払出し時に、貯留タンクから球を整列する整列通路を介して、下方の球払出し装置に導き、ここで払出し指令された球数を払出して、パチンコ遊技機の前面下部に位置する上皿または下皿に払出している。
【０００３】
このように、上流側の貯留タンクから供給された球が整列通路を介して下流側の球払出し装置へと導かれるが、この間の通路(樋)は球が詰まらずにスムーズに下流へ転動していくように比較的緩やかな傾斜を有している。
【０００４】
前記貯留タンクは、上面を開放した箱形状を有するタンク内に多数の球が山積みされて貯留されている。そして、その山積み状態の球が整列通路にて整列され、下流側へと転動して球流下口へと導かれる。
【０００５】
前記整列通路は、球２個分の通路の間に仕切板を設けて、球の列を１列単位で並列（２列）になるようにしている。これらの仕切板は、該仕切板のエッジを面取りしたり、Ｒ形状にしたり、仕切板を山形状にしたりして、球が仕切板の上面に乗らず、球が左右どちらかの整列通路に転動するように、球詰りを回避するための工夫がなされている（特許文献１及び特許文献２参照）。
【０００６】
しかし、この仕切板で仕切られた整列通路を球が流下する際、球の汚れ具合（例えば整列通路上に飛散している樹脂粉が、球の表面に付着して該球の表面がザラついた摩擦抵抗の大きい球など）によっては、球が仕切板の上面に乗り上げた際に、球同士の摩擦と該仕切板の上面に対する摩擦抵抗が非常に大きいため、互いが接触していること自体が問題となり、仕切板の上面を一方の通路側に傾斜させたとしても、球を一方の通路側に転動させるという効果はほとんどなくなってしまう場合があり、仕切板の上面に乗り上げて上流側へと逆流してきた球と貯留タンクから流下してきた球とのバランスがとれてしまい、このことが球詰りを発生させる原因となっていた。
【０００７】
このような整列通路での球詰りの発生原因を具体的に説明すると、図１１及び図１２に示すように、整列通路の整列開始時点で通路幅方向に隣接する３個の球Ｐ１，Ｐ２，Ｐ３が、相互にＨ１（球Ｐ１とＰ２との接触点）・Ｈ２（球Ｐ１とＰ３との接触点）・Ｈ３（球Ｐ１と仕切板１１１の上面との接触点）・Ｈ４（Ｐ２と側壁面１１２との接触点）・Ｈ５（Ｐ３と側壁面１１３との接触点）の５ヶ所が点接触した状態になることがある。このような５ヶ所の接触状態の場合に、球Ｐ１は仕切板１１１の上面と球の中心とがずれて接触しているため、ぶつかり合う力（球Ｐ１が仕切板１１１から上流側（貯留タンク側）へ下がろうとする力と、その両側の通路を球Ｐ２，Ｐ３が流下する力）に関係なくバランスが崩れ、球Ｐ１は仕切板１１１から左右どちらかの通路１１４ａ，１１４ｂへ転動しようとする。
【０００８】
このとき、球Ｐ１は仕切板１１１以外にも、その両側の通路を球Ｐ２，Ｐ３が流下し、両球とも接触（Ｈ１・Ｈ２）しているため、その接触点（Ｈ１・Ｈ２）での摩擦力よりも流下する力が大きければ転動できるが、前述のように摩擦抵抗の大きい球の場合、球Ｐ１のバランスは崩れているものの、その両側の球Ｐ２，Ｐ３との摩擦抵抗が大きすぎるため、仕切板１１１の上面の球Ｐ１は左右何れの通路１１４ａ，１１４ｂにも転動できず、所謂ブリッジ現象による球詰りが発生する。このため、通路１１４ａ，１１４ｂでの球詰りが発生する度に、係員による球詰り解除作業を要して、遊技の中断や遊技機の稼動率が低下する問題を有していた。
【０００９】
【特許文献１】特開２００６−４３０５４号
【特許文献２】特開２００２−１８０５４号
【発明の開示】
【発明が解決しようとする課題】
【００１０】
そこでこの発明は、複数列の整列通路のうち仕切板によって仕切られた左右何れか一方の通路幅を広げることで、通路幅方向に隣接する３個の球がロック（ブリッジが発生）してしまう５ヶ所の接触状態を無くして、球詰りを完全に回避することができる球整列通路構造、貯留タンク及びパチンコ球払出機を提供することを目的とする。
【課題を解決するための手段】
【００１１】
この発明は、上流に貯留された球を、仕切板で１列毎に区分された複数の通路に、１個ずつ整列させて下流に流下させる球整列通路構造であって、前記通路をほぼ球１個分の通路幅で形成し、前記仕切板の上流側を通路底面から漸次なめらかに立ち上がるのぼり坂に形成し、前記仕切板の両側の通路のうち一方の通路には、前記のぼり坂の側方位置に前記通路の通路幅より幅広の拡幅通路を形成してなることを特徴とする。
【００１２】
ここで、前記拡幅通路をのぼり坂の側方位置に形成するのは、該のぼり坂に乗り上げた球が自重により滑らかに立ち上がるのぼり坂の低位側に逆流して転動しようとし、その左右の通路を転動する球は正規の流れに沿って下流側へと転動しようとするので、これらの相反する向きに流れる球が接触する部分となる仕切板上面の高さ位置、すなわち、のぼり坂の付近では、その接触した場合に互いの球の動きを妨げ合うことになるからであり、これらの球の動きを妨げ合う干渉領域に該当するのぼり坂の側方に拡幅通路を隣接させる。これにより、球の不具合な干渉は未然に解消される。
【００１３】
この発明の態様として、多数個の球を積層状態に貯留する貯留空間と、前記貯留空間から下流の通路へと至る間を下流に向けて次第に幅狭にした絞り部と、前記貯留空間に貯留されている球を、前記絞り部を介して流下させる凹溝状の通路と、前記通路の上流から下流に向けて底面より漸次滑らかに立ち上げて該通路の凹溝内をほぼ球１個分の通路幅で並列する２列の通路に仕切る仕切板と、前記仕切板の上流側を通路底面から漸次なめらかに立ち上がるのぼり坂に形成し、前記仕切板の両側の通路のうち一方の通路には、前記のぼり坂の側方位置に前記通路の通路幅より幅広にした拡幅通路とを備えた貯留タンクを構成することができる。
【００１４】
この発明の態様として、前記仕切板の上面には、その上面のぼり坂の稜線方向に渡って、前記拡幅通路側に向けて傾斜する球振分け傾斜面を設けた貯留タンクを構成することができる。
【００１５】
このように構成された貯留タンクを、遊技台の盤面裏側に備えられる球払出装置と一体に連結して組込まれるパチンコ球払出機を構成すれば、整列通路での球詰りを解消した信頼性の高い安定した球整列性能を有するパチンコ球払出機を構築することができる。
【発明の効果】
【００１６】
この発明によれば、仕切板に仕切られた整列通路の左右何れか一方の通路幅を広げることにより、通路幅方向に球を逃す拡幅通路の領域を作って、のぼり坂の側方の球通路での球の流れを円滑にすることができる。よって、球詰りの発生原因を解消した信頼性の高い球整列性能を有する球整列通路構造を構築することができる。
【実施例】
【００１７】
この発明の一実施例を以下の図面に基づいて説明する。  
図１はパチンコ遊技機の盤面裏側を示し、このパチンコ遊技機の遊技台１１の盤面裏側の上部にパチンコ球払出機１２を配設し、盤面裏側の中央部に大型の表示装置や制御部等を備えた基板部１３を配設している。さらに、パチンコ球払出機１２の上面開口部と対向する上方には図示しない補給シュートが対設され、この補給シュートを介してパチンコ球払出機１２に上方から球が補給される。また、パチンコ球払出機１２の下方には払出通路１４が接続され、この払出通路１４を通して、球は遊技台１１の前面下部に位置する図示しない受皿へと払い出される。
【００１８】
前記パチンコ球払出機１２は、図２にも示すように、横型に設置される貯留タンク１５と縦型に設置される球払出装置１６とを逆Ｌ形状に一体に接続している。これらの接続に際しては、横長の貯留タンク１５の下流側端部に、球払出装置１６の上流側端部を連結することにより、双方を一体化したコンパクトな単体構成をとっている。
【００１９】
さらに、パチンコ球払出機１２は、貯留タンク１５を最上流位置とし、その下流側に天板１７と、球崩し機構１８と、球通過規制機構１９と、球払出装置１６とをこの順に接続している。さらに、球払出装置１６と対応する遊技台１１側の取付け面には縦長の連結フレーム２０を取付け、この連結フレーム２０を介して該パチンコ球払出機１２は遊技台１１の盤面裏側に固定設置される。
【００２０】
上述の貯留タンク１５は、図３に示すように、上面を開放し、両側を先細に絞った凹形状を有し、この凹形内の貯留空間１５ａに多数個の球を積層状態に貯留する。そして、この貯留空間１５ａの上面開口部に対して球が補給され、ここで多数個の球を貯留する。この貯留タンク１５に貯留された球を自重により転動させて下流側の球払出装置１６へと導くように構成している。
【００２１】
この場合、球を上流側から下流側に円滑に通過させるために球払出装置１６の前段には、図４に示すように、貯留タンク１５の先端部に細長い整列通路２１を一体に突出させて備えている。
【００２２】
ところで、上流側の貯留タンク１５のタンク底面から下流側の球払出装置１６の球Ｐを払い出す底面にかけては、同一傾斜方向に緩やかに傾斜させて直進する長い同一傾斜通路Ｌ（図１参照）を設けている。
【００２３】
この同一傾斜通路Ｌは、貯留タンク１５と整列通路２１と球払出装置１６との順に球Ｐを転動させて通過させる各通路の底面を、同一傾斜方向の緩やかな傾斜角度に設定して接続した通路である。このため、球Ｐが自重により上流側から下流側へと緩やかに転動する。またこの場合は、同一傾斜方向に直進する通路であるため、球流下時の落差や方向変換がなくなり、球Ｐの流下に適した滑らかな直進移動によって流下する。
【００２４】
この場合、傾斜角度が小さければ球Ｐの転動速度が遅くなり、下流側への球Ｐの供給が滞りやすくなる。これに対し、傾斜角度が大きいと、連なって流下する球Ｐの負荷が大きくなるので、例えば５〜８度程度の緩やかな傾斜角度にして転動させるのが適している。このため、ここを転動する球Ｐは安定して流下する。
【００２５】
ことに、同一傾斜通路Ｌは、斜め下向きに長く直進する通路であるため縦(高さ)方向よりも横方向に長く延びることになる。このため、高さ方向の占有場所が少なくて済み、高さ方向の長さを短縮した通路となる。
【００２６】
上述の貯留タンク１５は、貯留した多数個の球Ｐを、自重により転動させて下流側の球流下口１５ｂへと導くようにしており、この球流下口１５ｂに向けて側面の幅方向を次第に幅狭に絞ったハの字形の絞り部１５ｃを設けている。また、この貯留タンク１５の下流側上部には、図５にも示すように、天板１７を備えている。この天板１７の上流側の端部には、貯留タンク１５の下流側に対応し、該貯留タンク内の上方から臨んで、重なり転動する球Ｐの上層部を受止める受止め片２２を垂設している。
【００２７】
この受止め片２２を設けることによって、山積み状態にある球Ｐの上層部の流れを阻止する。このため、下部層の球Ｐだけを流下させることができ、これ以降は山積みされている球の段数を十分に減らして下流側に供給することができる。これにより、下流側への球圧を軽減できることになり、貯留タンク１５から整列通路２１側への球Ｐの供給に適した円滑な流れを確保できる。この受止め片２２の下流側には、球を１個高さに整列させる球崩し機構１８が備えられる。
【００２８】
前記球崩し機構１８は、整列通路２１の下流側の通路幅方向に３枚１組の軸支ブロック(図３参照)１８ａ，１８ｂ，１８ｃを重ね合せて連設し、これらの軸支ブロック１８ａ〜１８ｃ間に架設した軸支ピン１８ｄに、左右一対の同形状の球崩しレバー１８ｅをそれぞれ平行に吊支し、該軸支ピン１８ｄを傾動支点に球崩しレバー１８ｅを通路方向に振り子状に回動許容して設けている。これにより、ここに導かれた上層球の上面を該球崩しレバー１８ｅによって接触させて確実に積層状態の球を１個高さに崩すようにしている。
【００２９】
そして、球崩しレバー１８ｅにより球崩しされた球Ｐは、同一傾斜通路Ｌの傾斜方向から通路２１ａ，２１ｂ別に整列して送り出され、これら通路２１ａ，２１ｂ端部の各球流下口１５ｂより降下した球Ｐは、並列して下方に接続される球払出装置１６へと供給される。
【００３０】
前記球払出装置１６は、球流下口１５ｂの下方に縦型に配置され、貯留タンク１５から供給された球Ｐを制御部からの払出信号に基づいて定められた球数の球Ｐを１個ずつ遊技台１１の受皿へと払い出す。この球払出装置１６とその上方の球流下口１５ｂとの間には球通過規制機構１９が設けられている。この球通過規制機構１９は、前記球流下口１５ｂと球払出装置１６との間に相当する連結フレーム２０に(図３参照)取付けられ、該連結フレーム２０の垂直面より水平にアーム支持軸２０ａを突出させ、このアーム支持軸２０ａに球通過規制アーム１９ａと球通過規制バネ１９ｂとを挿通させて配設されている。これにより、球通過規制アーム１９ａを球通過規制バネ１９ｂによって球流下口１５ｂを閉鎖する球止め位置と、球流下口１５ｂを開口する開位置とに切換え可能に構成したものである。通常は、開位置にあって球の流下を許可しており、メンテナンスなどによって球止めするような場合に使用される。
【００３１】
次に、パチンコ球払出機１２における球Ｐの払出処理動作について説明する。このパチンコ球払出機１２の貯留タンク１５には多数個の球Ｐが払出待機された状態で貯留されている。この待機状態から、今、パチンコ遊技機の全体を制御するメイン制御部（図外）から球Ｐの払出信号が球払出装置１６に入力されて、該球払出装置１６の駆動モータ（図外）が駆動されると、この駆動に基づいて上流側の貯留タンク１５に貯留されている球Ｐは流下規制が解かれ、自重により同一傾斜通路Ｌの高い位置から下流側の低い位置へと導かれる。
【００３２】
一方、貯留タンク１５の下流側にあっては、受止め片２２によって貯留タンク１５の上層部の球Ｐを受止めて、その上層部の球Ｐの流れを制限し、下層部の球Ｐだけを通過させる。その後、球Ｐは同一傾斜通路Ｌを通って流下し、整列通路２１へと至る。ここで不規則に貯留されている球Ｐは２列に仕切られた通路２１ａ，２１ｂによって順序よく整列された状態で流下し、さらに球崩し機構１８で１個高さに揃えられて球払出装置１６へと導かれる。
【００３３】
球払出装置１６では、図示しないスプロケットの回転に伴って球Ｐは連続して個別送りされ、スプロケットの回転・停止の制御を受けて、定められた球数の球Ｐが１個ずつ払い出される。払い出された球Ｐは球降下用の垂直な払出通路１４を介して遊技台１１の前面側の上皿または下皿へと払い出される。
【００３４】
次に、整列通路２１を構築している左右の側壁面２３，２４と、その間を仕切る仕切板２５の形状と、その働きについて、図６〜図９を参照して詳しく説明する。  
この整列通路２１は、左右の側壁面２３，２４と、その間の仕切板２５とで２列の凹溝を有する通路２１ａ，２１ｂを構成している。これらの通路２１ａ，２１ｂの底部には、図６にも示すように、異物排除用に排除口２１ｃを細長く開口しており、異物は排除口２１ｃより落下して排除される。
【００３５】
前記仕切板２５は、図７に示すように、前記絞り部１５ｃの終端側に相当する整列通路２１の上流側から下流側に向けて底面より漸次滑らかに立ち上げ、この漸次滑らかに立ち上げた仕切板２５の上面の上流側は稜線方向に滑らかな円弧形を有するのぼり坂２５ａを形成し、該のぼり坂２５ａの最も立ち上げた終端側を後段の球崩し機構１８の位置まで延設して、球崩し機構１８の位置で積層状態の球を整列ガイドする。
【００３６】
さらに、仕切板２５の両側の通路２１ａ，２１ｂのうち一方の通路２１ａには、前記のぼり坂２５ａの側方位置に前記通路２１ａの通路幅より幅広にした球詰り回避用の拡幅通路２６を形成している。
【００３７】
この拡幅通路２６は、図８及び図９にも示すように、仕切板２５の上面に乗り上げて逆流しようとする球Ｐ１と、その左右を転動する球Ｐ２，Ｐ３との流れが相反し、互いの動きを妨げ合う高さ位置となるのぼり坂２５ａ部分での不具合な干渉を未然に回避するように、仕切板２５に隣接する該のぼり坂２５ａの一側方の通路２１ａを幅広に設けている。例えば、仕切板２５の一方の側壁面２３を通路幅方向に約1.4倍程度に幅広に設け、仕切板２５の整列通路の上流側から下流側に向けて底面より漸次滑らかに立上げたのぼり坂２５ａ部分の頂部近くまで設ける。
【００３８】
この拡幅通路２６を設けることによって、各通路２１ａ，２１ｂを流下しているＰ２，Ｐ３のうち、一方の通路２１ａを流れる球Ｐ３は通路幅が広くなった拡幅通路２６の領域へ逃げ込むことが可能になる。よって、図１１及び図１２を参照して先に述べた５ヶ所の接触状態が存在しなくなる。つまり、拡幅通路２６側を流下している球Ｐ３が幅広ゆえに通路２１ａ側の側壁面２３（詳しくは拡幅通路２６の側壁面）に接触することになる。この結果、必然的に仕切板２５の上面に乗り上げた球Ｐ１と拡幅通路２６側の球Ｐ３との球同士の接触点も無くなり、図８及び図９に想像線で示すように、仕切板２５の上面に乗り上げた球Ｐ１は拡幅通路２６側に転動できるのでロックされることが無くなり、球詰りが自然に回避される。
【００３９】
さらに、仕切板２５の上面に対しては、その稜線方向に渡って、前記拡幅通路２６側に向けて傾斜する球振分け傾斜面２７を設けている（図９参照）。この球振分け傾斜面２７は、仕切板２５の上面から球Ｐが隣接する通路２１ａ側に転動し易いように形成した傾斜面であり、仕切板２５の上面を板厚方向に急角度に傾斜させて設けている。特に、仕切板２５の上面と、この仕切板２５の上面に乗り上げた球Ｐ１とが接触する接触点Ｈ３と球の中心とをずらして転動させることで、バランスを崩し易い、すなわち詰り難い仕切板２５を実現できる。
【００４０】
これにより、仕切板２５の上面に乗り上げた球Ｐ１は真横の下向きに傾斜移動し易くなり、仕切板２５自体に対しても、球振分け機能を持たせることができるので、この仕切板２５による球振分け作用と、前記した拡幅通路２６によるブリッジ回避作用とによって球詰り防止性能の高い整列機能を持たせることができる。
【００４１】
このように構成された整列通路２１での球の整列動作を次に説明する。  
この整列通路２１に上流側より多数個の球が流下してきた場合、左右に並列する通路２１ａ，２１ｂと、その中間に介在する仕切板２５の位置に、絞り部１５ｃからの球が密集して流下するが、球が密集する整列開始部位に隣接する片側の通路２１ａに拡幅通路２６があり、この拡幅通路２６によって球が分散されるので、整列開始部位での密集は回避される。よって、図１１及び図１２で示したような５ヶ所の接触状態によるブリッジ現象は解消され、常に、図８及び図９に示すようなブリッジ回避作用が働いて、ここを通過する球は滞留する原因が無くなって円滑に流下することになる。さらに、拡幅通路２６側に傾斜する球振分け傾斜面２７によって、仕切板２５の上面に乗り上げた球Ｐ１は拡幅通路２６側に振分けられるので、より一層、ブリッジ回避作用が働くことになる。従って、この整列通路２１を通過する球は球詰りが解消されて流下される。
【００４２】
この発明の構成と、上述の一実施例の構成との対応において、この発明の傾斜面は、実施例の同一傾斜通路Ｌに対応するも、この発明は請求項に記載される技術思想に基づいて応用することができ、上述の一実施例の構成のみに限定されるものではない。
【００４３】
例えば、前記整列通路２１は球を２列にして流下させるように説明したが、３列以上であっても正規の通路幅と拡幅通路２６とを整列通路の両側に設ければ、球詰りを回避できる同様な作用効果が得られる整列通路を構築することができる。
【００４４】
また、貯留タンク１５の形状も、貯留タンク１５の幅方向中央部に整列方向を設定した中央タイプの整列通路２１（図４参照）を形成したが、これに限らず、図１０に示すように、貯留タンク１０１の幅方向の一側端部に整列方向を設定した片寄りタイプの整列通路１０２を形成しても、球詰りを回避できる拡幅通路１０３を設けて同様な作用効果が得ることができる。
【図面の簡単な説明】
【００４５】
【図１】パチンコ球払出機を備えた遊技台の盤面裏側を示す要部背面図。
【図２】パチンコ球払出機を示す外観斜視図。
【図３】パチンコ球払出機の分解斜視図。
【図４】貯留タンク内での球の流下状態を示す斜視図。
【図５】貯留タンクを示す外観斜視図。
【図６】貯留タンクを示す平面図。
【図７】整列通路の球流下状態を示す要部拡大側面図。
【図８】整列通路の球流下状態を示す要部拡大斜視図。
【図９】図８のＡ-Ａ線矢視断面図。
【図１０】貯留タンクの他の実施例を示す斜視図。
【図１１】従来の整列通路の球流下状態を示す要部拡大斜視図。
【図１２】図１１のＡ-Ａ線矢視断面図。
【符号の説明】
【００４６】
１２…パチンコ球払出機
１５，１０１…貯留タンク
１５ａ…貯留空間
１５ｃ…絞り部
２１，１０２…整列通路
２３，２４…側壁面
２５…仕切板
２５a…のぼり坂
２６，１０３…拡幅通路
２７…球振分け傾斜面
Ｌ…同一傾斜通路
【図１】
2008061798.tif 000003
【図２】
2008061798.tif 000004
【図３】
2008061798.tif 000005
【図４】
2008061798.tif 000006
【図５】
2008061798.tif 000007
【図６】
2008061798.tif 000008
【図７】
2008061798.tif 000009
【図８】
2008061798.tif 000010
【図９】
2008061798.tif 000011
【図１０】
2008061798.tif 000012
【図１１】
2008061798.tif 000013
【図１２】
2008061798.tif 000014